(57)【要約】  【課題】  ユーザ操作により選択された視聴率の高い番組を自動的に録画することができる機能を有する情報記録再生装置を提供する。  【解決手段】  インターネットから先週１週間の視聴率を取得すると、取得された視聴率に基づいて各チャンネル毎に視聴率の高い順に番組名を並び替える。また、取得された視聴率に基づいて全チャンネルで視聴率の高い順に番組名を並び替える。更に、取得された視聴率に基づいて各放送時間帯で視聴率の高い順に番組名を並び替える。この後、リモコンを操作して、例えば全チャンネルで視聴率上位１番目の番組を録画することを決定した場合、録画すべき視聴率上位１番目の番組を受信すると、その番組の録画が開始される。したがって、高視聴率番組を見逃さずに録画できる。【選択図】      図５
2007043401.tif 000002
【特許請求の範囲】
【請求項１】
テレビ番組の視聴率を提供することが可能なサーバがインターネットを介して接続する
ことができる構成を有し、記録媒体に対して情報の記録／再生が可能な情報記録再生装置
において、前記サーバから所定期間のテレビ番組の視聴率を取得する視聴率取得手段と、
前記取得された視聴率に基づいて各チャンネル毎に視聴率の高い順に番組名を並び替える
第１の番組名並び替え手段と、前記取得された視聴率に基づいて全チャンネルで視聴率の
高い順に番組名を並び替える第２の番組名並び替え手段と、前記取得された視聴率に基づ
いて各放送時間帯で視聴率の高い順に番組名を並び替える第３の番組名並び替え手段と、
前記各チャンネル毎に視聴率の高い順に並び替えられた番組名の中からユーザ操作に応答
して選択されたチャンネルで視聴率が上位何番目の番組まで録画するかを決定する第１の
番組録画決定手段と、前記全チャンネルで視聴率の高い順に並び替えられた番組名の中か
らユーザ操作に応答して全チャンネルで視聴率が上位何番目の番組まで録画するかを決定
する第２の番組録画決定手段と、前記各放送時間帯で視聴率の高い順に並び替えられた番
組名の中からユーザ操作に応答して選択された放送時間帯で視聴率が上位何番目の番組ま
で録画するかを決定する第３の番組録画決定手段と、前記ユーザ操作に応答して決定され
た番組を受信した時に録画を開始させる番組録画開始手段と有するシステムコントローラ
を備えたことを特徴とする情報記録再生装置。
【請求項２】
テレビ番組の視聴率を提供することが可能なサーバがインターネットを介して接続する
ことができる構成を有し、記録媒体に対して情報の記録／再生が可能な情報記録再生装置
において、前記サーバから所定期間のテレビ番組の視聴率を取得する視聴率取得手段と、
前記取得された視聴率に基づきユーザ操作に応答して上位何番目の番組まで録画するかを
決定する番組録画決定手段と、前記ユーザ操作に応答して決定された番組を受信した時に
録画を開始させる番組録画開始手段と有するシステムコントローラを備えたことを特徴と
する情報記録再生装置。
【請求項３】
前記システムコントローラは、前記取得された視聴率に基づいて各チャンネル毎に視聴
率の高い順に番組名を並び替える第１の番組名並び替え手段と、前記取得された視聴率に
基づいて全チャンネルで視聴率の高い順に番組名を並び替える第２の番組名並び替え手段
と、前記取得された視聴率に基づいて各放送時間帯で視聴率の高い順に番組名を並び替え
る第３の番組名並び替え手段とを有することを特徴とする請求項２に記載の情報記録再生
装置。
【請求項４】
前記番組録画決定手段としては、前記各チャンネル毎に視聴率の高い順に並び替えられ
た番組名の中からユーザ操作に応答して選択されたチャンネルで視聴率が上位何番目の番
組まで録画するかを決定する第１の番組録画決定手段と、前記全チャンネルで視聴率の高
い順に並び替えられた番組名の中からユーザ操作に応答して全チャンネルで視聴率が上位
何番目の番組まで録画するかを決定する第２の番組録画決定手段と、前記各放送時間帯で
視聴率の高い順に並び替えられた番組名の中からユーザ操作に応答して選択された放送時
間帯で視聴率が上位何番目の番組まで録画するかを決定する第３の番組録画決定手段とを
有することを特徴とする請求項３に記載の情報記録再生装置。
【発明の詳細な説明】
【技術分野】
【０００１】
本発明は、記録媒体に対して情報の記録／再生が可能な情報記録再生装置に関し、特に
、テレビ番組の視聴率を提供することが可能なサーバがインターネットを介して接続され
、視聴率の高い番組を自動的に録画（映像信号および音声信号を記録）することが可能な
情報記録再生装置に関する。
【背景技術】
【０００２】
近年、デジタル技術の発達によりテレビ放送の分野でもデジタル信号を用いた放送が可
能になり、広く実用化されてきている。デジタル放送では、ＭＰＥＧ２などのデジタル圧
縮技術を利用して、予め定めた一つの周波数帯域に複数のチャンネルを割り当てるように
している。このようにデジタル放送では、一つの周波数帯域に複数のチャンネルを割り当
てるようにしているので、番組数を増やすことができ、視聴者にとっては番組の選択肢が
増えて好ましいことである。
【０００３】
その反面、番組情報が膨大となり、新聞や雑誌など印刷物に掲載される番組表では、充
分な番組情報を得ることが困難になっている。そこで、一般的なデジタル放送受信装置に
はＥＰＧと呼ばれる電子番組案内の機能が備えられ、視聴者がＥＰＧを利用してテレビ画
面上で番組選択や番組録画予約などを行うことができるようにしている。例えば、各番組
の番組ジャンルや出演者などの番組に関するキーワードをリモコンなどを用いて入力する
ことにより、視聴者は所望の番組を検索することができる。
【０００４】
ところで、情報の記録／再生が可能な情報記録再生装置としての例えばＤＶＤレコーダ
を番組情報の提供が可能なサーバにインターネットを介して接続し、ＤＶＤレコーダから
サーバに番組情報の検索を要求することにより、ＤＶＤレコーダにおいて番組情報を得る
ことができるように構成されたものがある。
【特許文献１】特開２００２−２７９０２６号公報
【特許文献２】特開２００２−２０８９００号公報
【特許文献３】特開２００２−１０１５３号公報
【発明の開示】
【発明が解決しようとする課題】
【０００５】
しかしながら、このような従来の情報記録再生装置では、インターネットにより番組情
報は取り出せるが、番組の視聴率を調べて視聴率の高い番組を録画したい場合、視聴率を
、パーソナルコンピュータをインターネットに接続してインターネットで調べたり、テレ
ビ雑誌や新聞などで調べたりして、リモコンを操作して視聴率の高い番組を録画予約した
り、録画設定したりしている。要するに従来の情報記録再生装置では、視聴率の高い番組
を録画したい場合は、ユーザがインターネット、テレビ雑誌、新聞などで調べて、リモコ
ンを操作して視聴率の高い番組を録画予約したり、録画設定したりしているので、視聴率
の高い番組を録画する場合の作業が面倒であるという課題が生じる。
【０００６】
なお、特許文献１の従来技術では、話題になっている情報を、ユーザが番組を選択して
視聴する際の目安にして活用しているが、話題になっている情報と視聴率の高い番組とは
必ずしも一致するとは限らないので、視聴率の高い番組を録画したい場合は、ユーザがイ
ンターネット、テレビ雑誌、新聞などで調べなければならず、視聴率の高い番組を録画す
る場合の作業が面倒であるという課題が生じる。
【０００７】
特許文献２の従来技術では、全国のラジオ・テレビ放送番組を２４時間モニタして樂曲
などの番組をデータベース化することで、日報リスト、週報リストおよびランキング情報
として業務用および個人用にオンエアーデータを常時提供・配信することができるように
しているが、ＤＶＤレコーダなどの情報記録再生装置において、視聴率の高い番組を録画
する場合の作業を簡単化するものでない。
【０００８】
特許文献３の従来技術では、予測視聴率の高い番組をジャンル毎に録画装置で自動録画
させるようにしているが、各チャンネル毎に視聴率の高い番組を録画したり、全チャンネ
ルで視聴率の高い番組を録画したり、あるいは各放送時間帯で視聴率の高い番組を録画し
たりする、即ち、ユーザ操作により選択された視聴率の高い番組を自動的に録画する処理
については開示されていない。
【０００９】
本発明は、上記のような課題を解決するためになされたもので、ユーザ操作により選択
された視聴率の高い番組を自動的に録画することができる機能を有する情報記録再生装置
を提供することを目的とする。
【課題を解決するための手段】
【００１０】
上記目的を達成するために、請求項１の発明は、テレビ番組の視聴率を提供することが
可能なサーバがインターネットを介して接続することができる構成を有し、記録媒体に対
して情報の記録／再生が可能な情報記録再生装置において、前記サーバから所定期間のテ
レビ番組の視聴率を取得する視聴率取得手段と、前記取得された視聴率に基づいて各チャ
ンネル毎に視聴率の高い順に番組名を並び替える第１の番組名並び替え手段と、前記取得
された視聴率に基づいて全チャンネルで視聴率の高い順に番組名を並び替える第２の番組
名並び替え手段と、前記取得された視聴率に基づいて各放送時間帯で視聴率の高い順に番
組名を並び替える第３の番組名並び替え手段と、前記各チャンネル毎に視聴率の高い順に
並び替えられた番組名の中からユーザ操作に応答して選択されたチャンネルで視聴率が上
位何番目の番組まで録画するかを決定する第１の番組録画決定手段と、前記全チャンネル
で視聴率の高い順に並び替えられた番組名の中からユーザ操作に応答して全チャンネルで
視聴率が上位何番目の番組まで録画するかを決定する第２の番組録画決定手段と、前記各
放送時間帯で視聴率の高い順に並び替えられた番組名の中からユーザ操作に応答して選択
された放送時間帯で視聴率が上位何番目の番組まで録画するかを決定する第３の番組録画
決定手段と、前記ユーザ操作に応答して決定された番組を受信した時に録画を開始させる
番組録画開始手段と有するシステムコントローラを備えたことを特徴とする情報記録再生
装置を提供する。
【００１１】
この構成において、インターネットから例えば先週１周間の視聴率を取得する場合、情
報記録再生装置をインターネットを介してサーバに接続する。リモコンを操作して先週１
周間の視聴率を取得するようにシステムコントローラに指示すると、これに応答して、シ
ステムコントローラの視聴率取得手段は、サーバからの先週１周間の視聴率を取得する。
【００１２】
そして、システムコントローラの第１の番組名並び替え手段は、前記取得された視聴率
に基づいて各チャンネル毎に視聴率の高い順に番組名を並び替える。また、システムコン
トローラの第２の番組名並び替え手段は、前記取得された視聴率に基づいて全チャンネル
で視聴率の高い順に番組名を並び替える。更に、システムコントローラの第３の番組名並
び替え手段は、前記取得された視聴率に基づいて各放送時間帯で視聴率の高い順に番組名
を並び替える。
【００１３】
この後、リモコン操作に応答して、システムコントローラの第１の番組録画決定手段は
、視聴率上位何番目の番組まで録画するかを決定する。そして、待機状態になり、システ
ムコントローラの番組録画開始手段は、録画すべき番組を受信すると、記録媒体に対して
録画を開始させる。
【００１４】
次に、全チャンネルで視聴率の高い番組を録画したい場合は、視聴率上位何番目の番組
まで録画するかを決定する操作をリモコンにより行うと、これに応答して、システムコン
トローラの第２の番組録画決定手段は、視聴率上位何番目の番組まで録画するかを決定す
る。そして、待機状態になり、システムコントローラの番組録画開始手段は、録画すべき
番組を受信すると、その番組を記録媒体に対して録画を開始させる。
【００１５】
次に希望の放送時間帯で視聴率の高い番組を録画したい場合は、視聴率上位何番目の番
組まで録画するかを決定する操作をリモコンにより行うと、これに応答して、システムコ
ントローラの第３の番組録画決定手段は、視聴率上位何番目の番組まで録画するかを決定
する。そして、待機状態になり、システムコントローラの番組録画開始手段は、録画すべ
き番組を受信すると、その番組を記録媒体に対して録画を開始させる。
【００１６】
この構成によれば、ユーザ操作により選択された視聴率の高い番組を自動的に録画する
ことができるようになり、これにより、高視聴率の番組を見逃さずに録画でき、また、視
聴率の高い番組を録画したい場合に、ユーザがインターネット、テレビ雑誌、新聞などで
調べて、リモコンを操作して視聴率の高い番組を録画予約したり、録画設定したりする必
要がなくなり、視聴率の高い番組を録画する場合の面倒な作業がなくなり、ユーザにとっ
ては使い勝手が良くなる。
【００１７】
請求項２の発明は、テレビ番組の視聴率を提供することが可能なサーバがインターネッ
トを介して接続することができる構成を有し、記録媒体に対して情報の記録／再生が可能
な情報記録再生装置において、前記サーバから所定期間のテレビ番組の視聴率を取得する
視聴率取得手段と、前記取得された視聴率に基づきユーザ操作に応答して上位何番目の番
組まで録画するかを決定する番組録画決定手段と、前記ユーザ操作に応答して決定された
番組を受信した時に録画を開始させる番組録画開始手段と有するシステムコントローラを
備えたことを特徴とする情報記録再生装置を提供する。
【００１８】
この構成において、サーバから所定期間のテレビ番組の視聴率が視聴率取得手段により
取得されると、前記取得された視聴率に基づきユーザ操作に応答して上位何番目の番組ま
で録画するかが番組録画決定手段により決定され、前記ユーザ操作に応答して決定された
番組を受信した時に、その番組が番組録画開始手段により録画開始される。
【００１９】
この構成によれば、ユーザ操作により選択された視聴率の高い番組を自動的に録画する
ことができるようになり、これにより、高視聴率の番組を見逃さずに録画でき、また、視
聴率の高い番組を録画したい場合に、ユーザがインターネット、テレビ雑誌、新聞などで
調べて、リモコンを操作して視聴率の高い番組を録画予約したり、録画設定したりする必
要がなくなり、視聴率の高い番組を録画する場合の面倒な作業がなくなり、ユーザにとっ
ては使い勝手が良くなる。
【００２０】
請求項３の発明では、請求項２の発明において、前記システムコントローラは、前記取
得された視聴率に基づいて各チャンネル毎に視聴率の高い順に番組名を並び替える第１の
番組名並び替え手段と、前記取得された視聴率に基づいて全チャンネルで視聴率の高い順
に番組名を並び替える第２の番組名並び替え手段と、前記取得された視聴率に基づいて各
放送時間帯で視聴率の高い順に番組名を並び替える第３の番組名並び替え手段とを有する
ので、各チャンネル毎に視聴率の高い順に番組名を並び替えたり、全チャンネルで視聴率
の高い順に番組名を並び替えたり、あるいは各放送時間帯で視聴率の高い順に番組名を並
び替えたりすることができるようになり、これにより、各チャンネル毎、全チャンネル、
および各放送時間帯での視聴率の高い番組名を検索することが可能になる。
【００２１】
請求項４の発明では、請求項３の発明において、前記番組録画決定手段としては、前記
各チャンネル毎に視聴率の高い順に並び替えられた番組名の中からユーザ操作に応答して
選択されたチャンネルで視聴率が上位何番目の番組まで録画するかを決定する第１の番組
録画決定手段と、前記全チャンネルで視聴率の高い順に並び替えられた番組名の中からユ
ーザ操作に応答して全チャンネルで視聴率が上位何番目の番組まで録画するかを決定する
第２の番組録画決定手段と、前記各放送時間帯で視聴率の高い順に並び替えられた番組名
の中からユーザ操作に応答して選択された放送時間帯で視聴率が上位何番目の番組まで録
画するかを決定する第３の番組録画決定手段とを有するので、希望のチャンネルで視聴率
が上位何番目の番組まで録画するかを決定したり、全チャンネルで視聴率が上位何番目の
番組まで録画するかを決定したり、あるいは希望の放送時間帯で視聴率が上位何番目の番
組まで録画するかを決定したりすることが可能になる。
【発明の効果】
【００２２】
以上のように本発明によれば、テレビ番組の視聴率を提供することが可能なサーバがイ
ンターネットを介して接続することができる構成を有し、記録媒体に対して情報の記録／
再生が可能な情報記録再生装置において、前記サーバから所定期間のテレビ番組の視聴率
を取得する視聴率取得手段と、前記取得された視聴率に基づいて各チャンネル毎に視聴率
の高い順に番組名を並び替える第１の番組名並び替え手段と、前記取得された視聴率に基
づいて全チャンネルで視聴率の高い順に番組名を並び替える第２の番組名並び替え手段と
、前記取得された視聴率に基づいて各放送時間帯で視聴率の高い順に番組名を並び替える
第３の番組名並び替え手段と、前記各チャンネル毎に視聴率の高い順に並び替えられた番
組名の中からユーザ操作に応答して選択されたチャンネルで視聴率が上位何番目の番組ま
で録画するかを決定する第１の番組録画決定手段と、前記全チャンネルで視聴率の高い順
に並び替えられた番組名の中からユーザ操作に応答して全チャンネルで視聴率が上位何番
目の番組まで録画するかを決定する第２の番組録画決定手段と、前記各放送時間帯で視聴
率の高い順に並び替えられた番組名の中からユーザ操作に応答して選択された放送時間帯
で視聴率が上位何番目の番組まで録画するかを決定する第３の番組録画決定手段と、前記
ユーザ操作に応答して決定された番組を受信した時に録画を開始させる番組録画開始手段
と有するシステムコントローラを備えたので、ユーザ操作により選択された視聴率の高い
番組を自動的に録画することができるようになり、これにより、高視聴率の番組を見逃さ
ずに録画でき、また、視聴率の高い番組を録画したい場合に、ユーザがインターネット、
テレビ雑誌、新聞などで調べて、リモコンを操作して視聴率の高い番組を録画予約したり
、録画設定したりする必要がなくなり、視聴率の高い番組を録画する場合の面倒な作業が
なくなり、ユーザにとっては使い勝手が良くなる。
【００２３】
また、本発明によれば、テレビ番組の視聴率を提供することが可能なサーバがインター
ネットを介して接続することができる構成を有し、記録媒体に対して情報の記録／再生が
可能な情報記録再生装置において、前記サーバから所定期間のテレビ番組の視聴率を取得
する視聴率取得手段と、前記取得された視聴率に基づきユーザ操作に応答して上位何番目
の番組まで録画するかを決定する番組録画決定手段と、前記ユーザ操作に応答して決定さ
れた番組を受信した時に録画を開始させる番組録画開始手段と有するシステムコントロー
ラを備えたので、ユーザ操作により選択された視聴率の高い番組を自動的に録画すること
ができるようになり、これにより、高視聴率の番組を見逃さずに録画でき、また、視聴率
の高い番組を録画したい場合に、ユーザがインターネット、テレビ雑誌、新聞などで調べ
て、リモコンを操作して視聴率の高い番組を録画予約したり、録画設定したりする必要が
なくなり、視聴率の高い番組を録画する場合の面倒な作業がなくなり、ユーザにとっては
使い勝手が良くなる。
【発明を実施するための最良の形態】
【００２４】
以下、添付図面を参照しつつ、本発明の実施の形態について説明する。図１は本発明の
一実施形態に係る情報記録再生装置としてのＤＶＤレコーダの構成を示すブロック図であ
る。この実施形態では、ユーザが用いる情報記録再生装置としてはＤＶＤレコーダを示し
、このＤＶＤレコーダはインターネットを介してＷｅｂサーバに接続されている構成につ
いて説明する。
【００２５】
図１において、ＤＶＤレコーダ１は、チューナ２、セレクタ３、Ａ／Ｄ変換回路４、Ａ
／Ｄ変換回路・Ｙ／Ｃ分離回路５、ＡＶエンコーダ６、ＳＤＲＡＭ７、ＡＴＡＰＩコント
ローラ８、ＳＤＲＡＭ９、ＡＴＡＰＩインターフェイス１０、フロントエンドブロック１
１、スピンドルモータ１２、光ピックアップ１３、ＡＶデコーダ１４、ＳＤＲＡＭ１５、
フラッシュＲＯＭ１６、モデム１７、操作部１８、リモコン１９、表示部２０、システム
コントローラ２１、ＮＴＳＣ／ＰＡＬビデオエンコーダ２２、およびＤ／Ａ変換回路２３
を備えている。
【００２６】
このＤＶＤレコーダ１において、アンテナ２４より入力されたテレビジョン放送信号か
らは、チューナ２で所望の放送局のアナログ映像音声信号が取り出され、セレクタ３に入
力される。セレクタ３は、チューナ２からのアナログ映像音声信号または映像入力端子３
Ｂおよび音声入力端子３Ａからのアナログ映像音声信号を選択して出力する。Ａ／Ｄ変換
回路４は、セレクタ３で選択されたチューナ２からのアナログ映像音声信号をデジタル映
像音声信号に変換する。Ａ／Ｄ変換回路・Ｙ／Ｃ分離回路５は、セレクタ３で選択された
映像信号入力端子３Ｂおよび音声信号入力端子３Ａからのアナログ映像音声信号をデジタ
ル映像信号に変換してスイッチＳＷ１の接点ａに入力すると共に、映像信号入力端子３Ｂ
からのアナログ映像信号をＹ／Ｃ分離映像信号としてスイッチＳＷ２＿Ｖの接点ｃに入力
する。
【００２７】
ＡＶエンコーダ６は、Ａ／Ｄ変換回路４からのデジタル映像音声信号をエンコードする
。ＳＤＲＡＭ７は、ＡＶエンコーダ６のエンコード処理の際に必要なデータを一時的に格
納するためのメモリである。ＡＴＡＰＩコントローラ８は、ＡＴＡＰＩインターフェイス
１０を制御し、フロントエンドブロック１１とのデータの送受信を制御する。ＳＤＲＡＭ
９は、ＡＴＡＰＩコントローラ８の制御の際に必要なデータを一時的に格納するためのメ
モリである。フロントエンドブロック１１は、光ディスク２５を回転させるスピンドル１
２や光ピックアップ１３などを制御して光ディスク２５に映像音声データを記録したり光
ディスク２５から映像音声データを再生したりする。
【００２８】
ＡＶデコーダ１４は、ＡＴＡＰＩインターフェイス１０およびＡＴＡＰＩコントローラ
８を介して入力されたフロントエンドブロック１１からの再生映像音声データをデコード
する。ＳＤＲＡＭ１５は、ＡＶデコーダ１４のデコード処理の際に必要なデータを一時的
に格納するためのメモリである。システムコントローラ２１は、このＤＶＤレコーダ１の
構成要素全体を制御するものであり、操作部１８やリモコン１９からの操作信号に応答し
て、該当する制御を行う。フラッシュＲＯＭ１６は、システムコントローラ２１の動作に
必要なプログラムやデータを記憶している。表示部２０は、操作部１８やリモコン１９か
らの操作内容や現在の動作状態などを表示する。モデム１７は、インターネット２６を介
してＷｅｂサーバ２７と通信を行うものである。
【００２９】
ＮＴＳＣ／ＰＡＬビデオエンコーダ２２は、スイッチＳＷ２＿Ｖが接点ｃに接続されて
いるときに、Ａ／Ｄ変換回路・Ｙ／Ｃ分離回路５からのＹ／Ｃ分離映像信号を入力して、
ＮＴＳＣ方式またはＰＡＬ方式の映像信号にエンコードして映像出力端子２２Ｖに出力す
る。また、ＮＴＳＣ／ＰＡＬビデオエンコーダ２２は、スイッチＳＷ２＿Ｖが接点ｄに設
定されているときに、ＡＶデコーダ１４からの映像信号を入力して、ＮＴＳＣ方式または
ＰＡＬ方式の映像信号にエンコードして映像出力端子２２Ｖに出力する。
【００３０】
Ｄ／Ａ変換回路２３は、スイッチＳＷ２＿Ａが接点ｅに設定されているときに、Ａ／Ｄ
変換回路４からのデジタル音声信号を入力し、アナログ音声信号に変換して、音声出力端
子２２Ａに出力する。また、Ｄ／Ａ変換回路２３は、スイッチＳＷ２＿Ａが接点ｆに設定
されているときに、ＡＶデコーダ１４からのデジタル音声信号を入力し、アナログ音声信
号に変換して、音声出力端子２２Ａに出力する。
【００３１】
本実施形態の特徴として、ＤＶＤレコーダ１のシステムコントローラ２１には、Ｗｅｂ
サーバ２７から所定期間のテレビ番組の視聴率を取得する視聴率取得手段と、前記取得さ
れた視聴率に基づいて各チャンネル毎に視聴率の高い順に番組名を並び替える第１の番組
名並び替え手段と、前記取得された視聴率に基づいて全チャンネルで視聴率の高い順に番
組名を並び替える第２の番組名並び替え手段と、前記取得された視聴率に基づいて各放送
時間帯で視聴率の高い順に番組名を並び替える第３の番組名並び替え手段と、前記各チャ
ンネル毎に視聴率の高い順に並び替えられた番組名の中からユーザ操作に応答して選択さ
れたチャンネルで視聴率が上位何番目の番組まで録画するかを決定する第１の番組録画決
定手段と、前記全チャンネルで視聴率の高い順に並び替えられた番組名の中からユーザ操
作に応答して全チャンネルで視聴率が上位何番目の番組まで録画するかを決定する第２の
番組録画決定手段と、前記各放送時間帯で視聴率の高い順に並び替えられた番組名の中か
らユーザ操作に応答して選択された放送時間帯で視聴率が上位何番目の番組まで録画する
かを決定する第３の番組録画決定手段と、前記ユーザ操作に応答して決定された番組を受
信した時に録画を開始させる番組録画開始手段と有する。
【００３２】
Ｗｅｂサーバ２７のメモリ２８には、テレビ放送番組の視聴率を調査する業者等から得
た例えば先週１周間の放送番組の視聴率が格納され、この視聴率は一週間毎に更新される
。
【００３３】
図２は本実施形態において各チャンネル毎に視聴率の高い順に番組名が並び替えられた
例を説明するための図である。図２に示すように、チャンネル１では、番組Ａが視聴率３
６、番組Ｂが視聴率３２、番組Ｃが視聴率２８となり、視聴率の高い順に上位３番目まで
の番組名が並んでいる。チャンネル２では、番組Ｄが視聴率３５、番組Ｅが視聴率３０、
番組Ｆが視聴率２９となり、同じように視聴率の高い順に上位３番目までの番組名が並ん
でいる。チャンネル３では、番組Ｇが視聴率３７、番組Ｈが視聴率３３、番組Ｉが視聴率
２５となり、視聴率の高い順に上位３番目までの番組名が並んでいる。
【００３４】
図３は例えば図２に示す番組名に対して全チャンネルで視聴率の高い順に番組名が並び
替えられた例を説明するための図である。図３に示すように、視聴率の高い順から上位９
番目まで番組名が並べられている。即ち、チャンネル３の番組Ｇ（視聴率３７）、チャン
ネル１の番組Ａ（視聴率３６）、チャンネル２の番組Ｄ（視聴率３５）、チャンネル３の
番組Ｈ（視聴率３３）、チャンネル１の番組Ｂ（視聴率３２）、チャンネル２の番組Ｅ（
視聴率３０）、チャンネル２の番組Ｆ（視聴率２９）、チャンネル１の番組Ｃ（視聴率２
８）、チャンネル３の番組Ｉ（視聴率２５）というように、視聴率の高い順に番組名が並
べられている。
【００３５】
図４は本実施形態において各放送時間帯で視聴率の高い順に番組名が並び替えられた例
を説明するための図である。図４に示すように、放送時間帯がＡＭ７：００〜ＡＭ７：５
９では、チャンネル２の番組Ｊが視聴率２８で、この番組Ｊが視聴率上位１番目の番組で
あり、チャンネル１の番組Ｋが視聴率２６で、この番組Ｋが視聴率上位２番目の番組であ
ることを示す。放送時間帯がＡＭ８：００〜ＡＭ８：５９では、チャンネル３の番組Ｌが
視聴率３２で、この番組Ｌが視聴率上位１番目の番組であり、チャンネル２の番組Ｍが視
聴率３０で、この番組Ｍが視聴率上位２番目の番組であることを示す。
【００３６】
図５は本実施形態においてユーザ操作により選んだ視聴率の高い番組を自動的に録画す
る処理を示すフローチャートである。このフローチャートおよび図１〜図４を参照してユ
ーザ操作により選んだ視聴率の高い番組を自動的に録画する処理について説明する。
【００３７】
インターネットから先週１週間の視聴率を取得する場合、ＤＶＤレコーダ１を、視聴率
を配布しているサイトを有するＷｅｂサーバ２７に接続されているインターネット２６に
、モデム１７を介して接続し、リモコン１９を操作して先週１週間の視聴率を取得するよ
うにシステムコントローラ２１に指示する。これに応答して、システムコントローラ２１
は、Ｗｅｂサーバ２７からの先週１周間の視聴率を取得する。即ち、システムコントロー
ラ２１の視聴率取得手段は、インターネット２６から先週１周間の視聴率を取得する（ス
テップＳ１）。
【００３８】
そして、システムコントローラ２１の第１の番組名並び替え手段は、前記取得された視
聴率に基づいて各チャンネル毎に視聴率の高い順に番組名を例えば図２に示すように並び
替える（ステップＳ２）。また、システムコントローラ２１の第２の番組名並び替え手段
は、前記取得された視聴率に基づいて全チャンネルで視聴率の高い順に番組名を例えば図
３に示すように並び替える（ステップＳ３）。更に、システムコントローラ２１の第３の
番組名並び替え手段は、前記取得された視聴率に基づいて各放送時間帯で視聴率の高い順
に番組名を例えば図４に示すように並び替える（ステップＳ４）。
【００３９】
このようにして並び替えられた番組名はフラッシュＲＯＭ１６に格納される。この後、
希望のチャンネルで視聴率の高い番組名を検索するようにリモコン１９が操作されると（
ステップＳ５）、希望のチャンネルで視聴率の高い番組名が、フラッシュＲＯＭ１６から
読み出され、表示部２０または図示しないディスプレイ装置に表示される。例えば、希望
のチャンネルがチャンネル２であれば、図２に示すように、番組名が、番組Ｄ，番組Ｅ，
番組Ｆというように表示される。更に、視聴率上位何番目の番組まで録画するかを決定す
る操作をリモコン１９により行うと、これに応答して、システムコントローラ２１の第１
の番組録画決定手段は、視聴率上位何番目の番組まで録画するかを決定する（ステップＳ
８）。例えば、チャンネル２で視聴率が上位２番目の番組までの番組を決定するとすれば
、番組Ｄと番組Ｅが決定されることになり、番組Ｄと番組Ｅは、録画予約されたことにな
る。
【００４０】
そして、待機状態になり、システムコントローラ２１の番組録画開始手段は、録画すべ
き番組、例えば番組Ｄを受信すると（ステップＳ９）、フロントエンドブロック１１を制
御して番組Ｄを光ディスク２５に対して録画する（ステップＳ１０）。指定した番組数の
録画が終了した場合は（ステップＳ１１）、本処理は終わるが、指定した番組数の録画が
終了していない場合は（ステップＳ１１）、次に録画予約された番組、例えば番組Ｅを受
信すると（ステップＳ９）、同様に光ディスク２５に対して番組Ｅを録画する（ステップ
Ｓ１０）。そして、番組Ｅの録画が終了すると（ステップＳ１１）、本処理が終了する。
【００４１】
次に、全チャンネルで視聴率の高い番組を録画したい場合は、全チャンネルで視聴率の
高い番組名を検索するように、リモコン１９が操作されると（ステップＳ６）、全チャン
ネルで視聴率の高い番組名が、フラッシュＲＯＭ１６から読み出され、表示部２０または
図示しないディスプレイ装置に表示される。例えば、図３に示すように、番組名が、番組
Ｇ，番組Ａ，番組Ｄ，・・・というように表示される。更に、視聴率上位何番目の番組ま
で録画するかを決定する操作をリモコン１９により行うと、これに応答して、システムコ
ントローラ２１の第２の番組録画決定手段は、視聴率上位何番目の番組まで録画するかを
決定する（ステップＳ８）。例えば、視聴率が上位３番目の番組までの番組を決定すると
すれば、番組Ｇと番組Ａと番組Ｄが決定されることになり、番組Ｇと番組Ａと番組Ｄは、
録画予約されたことになる。なお、番組Ｇと番組Ａと番組Ｄが同じ放送時間帯であれば、
ユーザが番組Ｇと番組Ａと番組Ｄの何れかを選択すれば良い。また、情報記録再生装置が
ダブル録画する機能を有していれば、番組Ｇと番組Ａと番組Ｄのうちの二つの番組を選択
すれば良い。
【００４２】
そして、待機状態になり、システムコントローラ２１の番組録画開始手段は、録画すべ
き番組、例えば番組Ｇを受信すると（ステップＳ９）、フロントエンドブロック１１を制
御して番組Ｇを光ディスク２５に対して録画する（ステップＳ１０）。指定した番組数の
録画が終了した場合は（ステップＳ１１）、本処理は終わるが、指定した番組数の録画が
終了していない場合は（ステップＳ１１）、次に録画予約された番組、例えば番組Ａを受
信すると（ステップＳ９）、同様に光ディスク２５に対して番組Ａを録画する（ステップ
Ｓ１０）。同様に番組Ｄを受信すると（ステップＳ９）、光ディスク２５に対して番組Ｄ
を録画する（ステップＳ１０）。指定した番組数の録画が終了すると（ステップＳ１１）
、本処理が終了する。
【００４３】
次に希望の放送時間帯で視聴率の高い番組を録画したい場合は、希望の放送時間帯で視
聴率の高い番組名を検索するように、リモコン１９が操作されると（ステップＳ７）、希
望の放送時間帯で視聴率の高い番組名が、フラッシュＲＯＭ１６から読み出され、表示部
２０または図示しないディスプレイ装置に表示される。例えば、希望の放送時間帯がＡＭ
８：００〜ＡＭ８：５９であれば、図４に示すように、番組名が番組Ｌ，番組Ｍというよ
うに表示される。
【００４４】
更に、視聴率上位何番目の番組まで録画するかを決定する操作をリモコン１９により行
うと、これに応答して、システムコントローラ２１の第３の番組録画決定手段は、視聴率
上位何番目の番組まで録画するかを決定する（ステップＳ８）。例えば、図４に示すよう
に、放送時間帯ＡＭ８：００〜ＡＭ８：５９において視聴率が上位１番目の番組Ｌを録画
対象の番組として決定すれば、番組Ｌは録画予約されたことになる。但し、同じ放送時間
帯の番組は、同時には録画できないので、視聴率が上位１番目の番組のみを録画すること
が可能になるが、ダブル録画機能を有している情報記録再生装置であれば、視聴率が上位
１番目の番組と上位２番目の番組も同時に録画することができる。なお、視聴率が上位２
番目の番組や、上位何番目かの番組を録画するのはユーザの判断で自由に選ぶことができ
る。
【００４５】
そして、待機状態になり、システムコントローラ２１の番組録画開始手段は、録画すべ
き番組、例えば番組Ｌを受信すると（ステップＳ９）、フロントエンドブロック１１を制
御して番組Ｌを光ディスク２５に対して録画する（ステップＳ１０）。指定した番組数の
録画が終了した場合は（ステップＳ１１）、本処理は終了する。
【００４６】
以上説明したように本実施形態によれば、ユーザ操作により選択された視聴率の高い番
組を自動的に録画することができるようになり、これにより、高視聴率の番組を見逃さず
に録画でき、また、視聴率の高い番組を録画したい場合に、ユーザがインターネット、テ
レビ雑誌、新聞などで調べて、リモコンを操作して視聴率の高い番組を録画予約したり、
録画設定したりする必要がなくなり、視聴率の高い番組を録画する場合の面倒な作業がな
くなり、ユーザにとっては使い勝手が良くなる。
【００４７】
なお、上記実施形態では、情報記録再生装置としてＤＶＤレコーダを例に挙げて説明し
たが、これに限らず、情報記録再生装置としては、ハードディスクレコーダ、あるいはＤ
ＶＤレコーダとハードディスクレコーダとの複合機であっても良い。
【図面の簡単な説明】
【００４８】
【図１】本発明の一実施形態に係る情報記録再生装置としてのＤＶＤレコーダの構成を示すブロック図である。
【図２】前記実施形態において各チャンネル毎に視聴率の高い順に番組名が並び替えられた例を説明するための図である。
【図３】例えば図２に示す番組名に対して全チャンネルで視聴率の高い順に番組名が並び替えられた例を説明するための図である。
【図４】前記実施形態において各放送時間帯で視聴率の高い順に番組名が並び替えられた例を説明するための図である。
【図５】前記実施形態においてユーザ操作により選んだ視聴率の高い番組を自動的に録画する処理を示すフローチャートである。
【符号の説明】
【００４９】
１    ＤＶＤレコーダ（情報記録再生装置）
２１    システムコントローラ（視聴率取得手段、第１の番組名並び替え手段、第２の
番組名並び替え手段、第３の番組名並び替え手段、第１の番組録画決定手段、第２の番組
録画決定手段、第３の番組録画決定手段、番組録画開始手段）
２５    光ディスク（記録媒体）
２６    インターネット
２７    Ｗｅｂサーバ
【図１】
2007043401.tif 000003
【図２】
2007043401.tif 000004
【図３】
2007043401.tif 000005
【図４】
2007043401.tif 000006
【図５】
2007043401.tif 000007